(57)【要約】【課題】窓部からの日射を好適に遮蔽することが可能な可動スクリーン装置を提供する。【解決手段】スクリーン１１０と、前記スクリーン１１０を上下に移動させることが可能であり、かつ任意の上下位置で保持することが可能な移動機構（上部巻取り部１２０及び下部巻取り部１３０）と、を具備し、前記スクリーン１１０は、機能の異なる少なくとも２種類の生地を上下に並べて配置することで形成されている。【選択図】図１
2020159168.tif 000002
【特許請求の範囲】
【請求項１】
スクリーンと、
前記スクリーンを上下に移動させることが可能であり、かつ任意の上下位置で保持することが可能な移動機構と、
を具備し、
前記スクリーンは、
機能の異なる少なくとも２種類の生地を上下に並べて配置することで形成されている、
可動スクリーン装置。
【請求項２】
前記スクリーンは、
網状に形成された網戸生地と、
前記網戸生地よりも通気性が低く、かつ可視光を透過可能な可視光透過生地と、
前記網戸生地よりも通気性が低く、かつ前記可視光透過生地よりも可視光透過率が低い日射遮蔽生地と、
のうち少なくとも２つを上下に並べて配置することで形成されている、
請求項１に記載の可動スクリーン装置。
【請求項３】
前記スクリーンは、
少なくとも前記網戸生地を有し、
前記網戸生地は、
前記スクリーンに用いられている前記網戸生地、前記可視光透過生地及び前記日射遮蔽生地の中で最も上方に配置されている、
請求項２に記載の可動スクリーン装置。
【請求項４】
前記スクリーンは、
前記網戸生地、前記可視光透過生地及び前記日射遮蔽生地を有し、上から前記網戸生地、前記可視光透過生地及び前記日射遮蔽生地の順に並べて形成されている、
請求項２又は請求項３に記載の可動スクリーン装置。
【請求項５】
前記網戸生地は、
対向するように配置される窓部の開口に対応するように形成される、
請求項３又は請求項４に記載の可動スクリーン装置。
【請求項６】
前記可視光透過生地は、
可視光透過率が０．１〜０．５である、
請求項２から請求項５までのいずれか一項に記載の可動スクリーン装置。
【請求項７】
前記日射遮蔽生地は、
屋外側の面の日射反射率が０．６以上であり、
屋内側の面の長波放射率が０．３以下である、
請求項２から請求項６までのいずれか一項に記載の可動スクリーン装置。
【発明の詳細な説明】
【技術分野】
【０００１】
本発明は、移動可能なスクリーンを具備する可動スクリーン装置の技術に関する。
【背景技術】
【０００２】
従来、移動可能なスクリーンを具備する可動スクリーン装置の技術は公知となっている。例えば、特許文献１に記載の如くである。
【０００３】
特許文献１には、回転可能に支持された巻取パイプと、巻取パイプに取り付けられたスクリーンと、巻取パイプを回転操作するための操作コードと、を具備する可動スクリーン装置（ロールスクリーン）が開示されている。当該可動スクリーン装置は、巻取パイプを巻取り方向へ回転させると、スクリーンを巻取パイプに巻き取ることができる。また当該可動スクリーン装置は、巻取パイプを巻戻し方向へ回転させると、スクリーンを下方へと広げることができる。
【０００４】
このような可動スクリーン装置は、室内において、窓部と対向するように配置される。上記のようにスクリーンを広げることにより、窓部からの日射を遮蔽することができる。
【０００５】
ここで、一般的に、窓部の上部から採光し、下部からの日射は抑えたいなど、採光方法を任意に変更したいという要望がある。これに対して特許文献１に記載のような可動スクリーン装置のスクリーンは、全域において一定の遮光性を有しているため、好適な日射の遮蔽が困難となるおそれがある。
【先行技術文献】
【特許文献】
【０００６】
【特許文献１】特開２０１８−１０５０９８号公報
【発明の概要】
【発明が解決しようとする課題】
【０００７】
本発明は以上の如き状況に鑑みてなされたものであり、その解決しようとする課題は、窓部からの日射を好適に遮蔽することが可能な可動スクリーン装置を提供することである。
【課題を解決するための手段】
【０００８】
本発明の解決しようとする課題は以上の如くであり、次にこの課題を解決するための手段を説明する。
【０００９】
即ち、請求項１においては、スクリーンと、前記スクリーンを上下に移動させることが可能であり、かつ任意の上下位置で保持することが可能な移動機構と、を具備し、前記スクリーンは、機能の異なる少なくとも２種類の生地を上下に並べて配置することで形成されているものである。
【００１０】
請求項２においては、前記スクリーンは、網状に形成された網戸生地と、前記網戸生地よりも通気性が低く、かつ可視光を透過可能な可視光透過生地と、前記網戸生地よりも通気性が低く、かつ前記可視光透過生地よりも可視光透過率が低い日射遮蔽生地と、のうち少なくとも２つを上下に並べて配置することで形成されているものである。
【００１１】
請求項３においては、前記スクリーンは、少なくとも前記網戸生地を有し、前記網戸生地は、前記スクリーンに用いられている前記網戸生地、前記可視光透過生地及び前記日射遮蔽生地の中で最も上方に配置されているものである。
【００１２】
請求項４においては、前記スクリーンは、前記網戸生地、前記可視光透過生地及び前記日射遮蔽生地を有し、上から前記網戸生地、前記可視光透過生地及び前記日射遮蔽生地の順に並べて形成されているものである。
【００１３】
請求項５においては、前記網戸生地は、対向するように配置される窓部の開口に対応するように形成されるものである。
【００１４】
請求項６においては、前記可視光透過生地は、可視光透過率が０．１〜０．５であるものである。
【００１５】
請求項７においては、前記日射遮蔽生地は、屋外側の面の日射反射率が０．６以上であり、屋内側の面の長波放射率が０．３以下であるものである。
【発明の効果】
【００１６】
本発明の効果として、以下に示すような効果を奏する。
【００１７】
請求項１においては、窓部からの日射を好適に遮蔽することができる。
【００１８】
請求項２においては、可動スクリーン装置の遮光性及び通気性を任意に変更することができる。
【００１９】
請求項３においては、窓部の高い位置からの通気性を確保することができる。
【００２０】
請求項４においては、窓部からの日射を好適に遮蔽することができる。
【００２１】
請求項５においては、開口を介した換気を行い易くすることができる。
【００２２】
請求項６においては、日射を遮蔽しながらも、採光性を高くすることができる。
【００２３】
請求項７においては、太陽光の熱の吸収、及び屋内側への熱の放出を抑制することができる。
【図面の簡単な説明】
【００２４】
【図１】第一実施形態に係る可動スクリーン装置及び窓部の構成を示した図。
【図２】スクリーンの構成を示した図。
【図３】（ａ）通風パターンを示した図。（ｂ）遮光＋高窓採光パターンを示した図。
【図４】（ａ）部分遮光パターンを示した図。（ｂ）眺望重視パターンを示した図。
【図５】第二実施形態に係る可動スクリーン装置及び窓部の構成を示した図。
【発明を実施するための形態】
【００２５】
まず、図１を用いて、本発明の第一実施形態に係る可動スクリーン装置１００が設けられる窓部１の一例について説明する。
【００２６】
本実施形態に係る窓部１としては、腰高窓を想定している。また窓部１としては、開閉可能な排煙窓２と、開閉不能なＦＩＸ窓３（はめ殺し窓）と、を具備するものを想定している。具体的には、排煙窓２は、ＦＩＸ窓３の上方に隣接するように設けられている。排煙窓２は、遠隔操作により開閉可能とされている。
【００２７】
本実施形態では、窓部１の上下幅をＨ１、排煙窓２の上下幅をＨ２、ＦＩＸ窓３の上下幅をＨ３とする。排煙窓２の上下幅Ｈ２とＦＩＸ窓３の上下幅Ｈ３の比（Ｈ２：Ｈ３）は、概ね１：２〜１：３となるように形成されている。
【００２８】
次に、図１及び図２を用いて、本発明の第一実施形態に係る可動スクリーン装置１００の構成について説明する。可動スクリーン装置１００は、窓部１に対応するように設けられ、当該窓部１からの日射を適宜遮蔽するものである。可動スクリーン装置１００は、主としてスクリーン１１０、上部巻取り部１２０、下部巻取り部１３０、サイドレール１４０及びチェーン１５０を具備する。
【００２９】
スクリーン１１０は、窓部１からの日射を遮蔽するための部材である。スクリーン１１０は、上下に長い矩形状に形成される。スクリーン１１０の左右幅は、窓部１の左右幅に対応するように形成されている。具体的には、スクリーン１１０の左右幅は、窓部１の左右幅と略同一となるように形成されている。スクリーン１１０は、可撓性を有する薄いシート状に形成される。スクリーン１１０は、上下に沿って異なる機能を有する複数種類の生地をつなぎ合わせることで形成されている。具体的には、スクリーン１１０は、上から下に向かって、網戸生地１１１、第一可視光透過生地１１２、日射遮蔽生地１１３及び第二可視光透過生地１１４を順につなぎ合わせて形成されている。
【００３０】
網戸生地１１１は、網状に形成された生地である。網戸生地１１１は、通風性（通気性）を保ちながらも、虫などが通過不能となる程度の網目を有する。網戸生地１１１の開孔率や目開き等は、任意に設定することができるが、窓部１（排煙窓２）を介する換気を十分に行うことができる程度の開口率等に設定することが望ましい。特に本実施形態では、網戸生地１１１は、スクリーン１１０のその他の生地（後述する第一可視光透過生地１１２、日射遮蔽生地１１３及び第二可視光透過生地１１４）に比べて高い通風性（通気性）を有する。網戸生地１１１の上下幅は、排煙窓２の上下幅Ｈ２に対応するように形成されている。具体的には、網戸生地１１１の上下幅は、排煙窓２の上下幅Ｈ２と略同一となるように形成される。
【００３１】
第一可視光透過生地１１２は、ある程度高い可視光透過率を有する生地である。第一可視光透過生地１１２の可視光透過率は、０．１〜０．５の範囲で任意に設定することができる。このように、可視光透過率をある程度高く設定することで、日射を遮蔽しながらも、採光性を高くすることができ、室内を明るくすることができる。第一可視光透過生地１１２は、網戸生地１１１に隣接するように設けられる。第一可視光透過生地１１２の上下幅は、排煙窓２の上下幅Ｈ２に対応するように形成されている。具体的には、第一可視光透過生地１１２の上下幅は、排煙窓２の上下幅Ｈ２と略同一となるように形成される。
【００３２】
日射遮蔽生地１１３は、ある程度低い可視光透過率を有する生地である。日射遮蔽生地１１３の可視光透過率は、０．１未満の範囲で任意に設定することができる。このように、可視光透過率をある程度低く設定することで、採光性を低くすることができ、室内の明るさ（まぶしさ）を抑制することができる。また、日射遮蔽生地１１３の屋外側の面は、日射反射率が０．６以上となるように形成される。日射遮蔽生地１１３の屋内側の面は、長波放射率が０．３以下となるように形成される。このように、日射反射率及び長波放射率を設定することで、太陽光の熱の吸収、及び屋内側への熱の放出を抑制することができる。日射遮蔽生地１１３は、第一可視光透過生地１１２に隣接するように設けられる。日射遮蔽生地１１３の上下幅は、ＦＩＸ窓３の上下幅Ｈ３に対応するように形成されている。具体的には、日射遮蔽生地１１３の上下幅は、ＦＩＸ窓３の上下幅Ｈ３と略同一となるように形成される。
【００３３】
第二可視光透過生地１１４は、ある程度高い可視光透過率を有する生地である。第二可視光透過生地１１４の可視光透過率は、０．１〜０．５の範囲で任意に設定することができる。このように、可視光透過率をある程度高く設定することで、日射を遮蔽しながらも、採光性を高くすることができ、室内を明るくすることができる。なお、第二可視光透過生地１１４は、第一可視光透過生地１１２よりも高い可視光透過率を有するように形成されることが好ましく、可視光透過率を０．５以上の値としてもよい。第二可視光透過生地１１４は、日射遮蔽生地１１３に隣接するように設けられる。第二可視光透過生地１１４の上下幅は、窓部１の上下幅Ｈ１に対応するように形成されている。具体的には、第二可視光透過生地１１４の上下幅は、窓部１の上下幅Ｈ１と略同一となるように形成される。
【００３４】
上部巻取り部１２０は、スクリーン１１０を上端部から巻き取るものである。上部巻取り部１２０は、回転可能に支持された巻取り軸、当該巻取り軸を収容するケース等を具備する。上部巻取り部１２０の巻取り軸にはスクリーン１１０の上端が固定される。
【００３５】
下部巻取り部１３０は、スクリーン１１０を下端部から巻き取るものである。下部巻取り部１３０は、回転可能に支持された巻取り軸、当該巻取り軸を収容するケース等を具備する。下部巻取り部１３０の巻取り軸にはスクリーン１１０の下端が固定される。下部巻取り部１３０は、上部巻取り部１２０の下方に配置される。上部巻取り部１２０と下部巻取り部１３０との上下方向の間隔は、窓部１に対応した間隔となるように配置される。具体的には、下部巻取り部１３０は、上部巻取り部１２０との上下方向の間隔が、窓部１の上下幅Ｈ１と略同一となるように配置される。
【００３６】
サイドレール１４０は、スクリーン１１０を上下に案内するものである。サイドレール１４０は、上部巻取り部１２０及び下部巻取り部１３０の左端部同士、及び右端部同士を接続するように、左右一対設けられる。サイドレール１４０は、スクリーン１１０の左右両端部を上下に案内することで、スクリーン１１０のたるみの発生を抑制することができる。これによって、スクリーン１１０の左右両端の気密性を向上させることができ、スクリーン１１０と窓部１との間の不快な空気（熱せられた空気等）が室内に漏れ出すのを抑制することができる。また、サイドレール１４０によって、通風時（排煙窓２が開放された際）に窓部１から室内へと虫が入り込むのを防止（防虫）することができる。さらに、スクリーン１１０の左右両端部にサイドレール１４０を設けることで、スクリーン１１０の左右からの光漏れの発生を抑制することができる。
【００３７】
チェーン１５０は、上部巻取り部１２０及び下部巻取り部１３０の巻取り軸を回転させるための操作具である。チェーン１５０は、上部巻取り部１２０及び下部巻取り部１３０の巻取り軸に連結される。チェーン１５０を回転させることで、巻取り軸を任意の方向に回転させることができる。
【００３８】
例えば、チェーン１５０を操作して、下部巻取り部１３０からスクリーン１１０を繰り出すと共に、上部巻取り部１２０でスクリーン１１０を巻き取ることで、スクリーン１１０を上方にスライドさせることができる。また、チェーン１５０を操作して、上部巻取り部１２０からスクリーン１１０を繰り出すと共に、下部巻取り部１３０でスクリーン１１０を巻き取ることで、スクリーン１１０を下方にスライドさせることができる。
【００３９】
上述の如く構成された可動スクリーン装置１００は、室内において、窓部１に対向するように配置される。また、スクリーン１１０を上下に任意にスライドさせることで、目的に応じて可動スクリーン装置１００の使用状態を変更することができる。以下、具体的に説明する。
【００４０】
本実施形態に係る可動スクリーン装置１００は、スクリーン１１０をスライドさせることで、（１）通風パターン、（２）遮光＋高窓採光パターン、（３）部分遮光パターン及び（４）眺望重視パターンの、４つの使用状態を切り替えることができる。
【００４１】
図２及び図３（ａ）に示す（１）通風パターンは、排煙窓２から風（屋外の空気）を取り込むための使用状態である。使用者は、スクリーン１１０を最も下方にスライドさせ、網戸生地１１１を排煙窓２に対向させることで、可動スクリーン装置１００の使用状態を通風パターンに切り替えることができる。
【００４２】
通風パターンでは、上述の如く、網戸生地１１１が排煙窓２と対向している。また通風パターンでは、第一可視光透過生地１１２と、日射遮蔽生地１１３の上部が、ＦＩＸ窓３と対向している。通風パターンでは、排煙窓２から取り込まれた風は、網戸生地１１１を介してスクリーン１１０の屋内側へと流通することができる。これによって、室内に新鮮な外気を取り込むことができる。
【００４３】
また通風パターンでは、ＦＩＸ窓３の上部からの日射を、第一可視光透過生地１１２を介して適度に取り込むことができる。また通風パターンでは、ＦＩＸ窓３の下部からの日射を、日射遮蔽生地１１３によって効果的に遮蔽することができる。このように、比較的高い位置から採光することで室内を明るくすると共に、比較的低い位置からの日射を遮蔽することで、室内の比較的低い位置（例えば、仕事をしている机上の高さ）での日射のまぶしさを抑制することができる。これによって、室内の快適性を向上させることができる。
【００４４】
図２及び図３（ｂ）に示す（２）遮光＋高窓採光パターンは、日射を遮蔽しながらも、室内の明るさを確保するための使用状態である。使用者は、スクリーン１１０を適宜スライドさせ、第一可視光透過生地１１２及び日射遮蔽生地１１３を窓部１に対向させることで、可動スクリーン装置１００の使用状態を遮光＋高窓採光パターンに切り替えることができる。
【００４５】
遮光＋高窓採光パターンでは、第一可視光透過生地１１２が排煙窓２と対向している。また遮光＋高窓採光パターンでは、日射遮蔽生地１１３がＦＩＸ窓３と対向している。遮光＋高窓採光パターンでは、比較的高い位置に配置された排煙窓２からの日射が、第一可視光透過生地１１２を介して取り込まれる。これによって、室内を効果的に明るくすることができる。また遮光＋高窓採光パターンでは、比較的低い位置に配置されたＦＩＸ窓３からの日射が、日射遮蔽生地１１３によって遮蔽される。これによって、室内の比較的低い位置での日射のまぶしさを抑制することができる。
【００４６】
図２及び図４（ａ）に示す（３）部分遮光パターンは、窓部１から日射を取り込みながらも、一部の日射（特に、高い位置からの日射）を遮蔽するための使用状態である。使用者は、スクリーン１１０を適宜スライドさせ、日射遮蔽生地１１３及び第二可視光透過生地１１４を窓部１に対向させることで、可動スクリーン装置１００の使用状態を部分遮光パターンに切り替えることができる。
【００４７】
部分遮光パターンでは、日射遮蔽生地１１３が窓部１の上部と対向している。図４（ａ）に示した例では、日射遮蔽生地１１３を窓部１の排煙窓２のみと対向させた様子を示している。また部分遮光パターンでは、第二可視光透過生地１１４が窓部１の下部と対向している。図４（ａ）に示した例では、第二可視光透過生地１１４を窓部１のＦＩＸ窓３のみと対向させた様子を示している。
【００４８】
部分遮光パターンでは、窓部１の比較的高い位置からの日射を、日射遮蔽生地１１３によって遮蔽することができる。また、窓部１の比較的低い位置からの日射を、第二可視光透過生地１１４を介して取り込むことができる。このように使用者は、窓部１からの日射を部分的に遮蔽することができる。
【００４９】
図２及び図４（ｂ）に示す（４）眺望重視パターンは、窓部１からの眺望を重視する使用状態である。使用者は、スクリーン１１０を最も上方にスライドさせ、第二可視光透過生地１１４を窓部１に対向させることで、可動スクリーン装置１００の使用状態を眺望重視パターンに切り替えることができる。
【００５０】
眺望重視パターンでは、上述の如く第二可視光透過生地１１４が窓部１と対向している。眺望重視パターンでは、窓部１からの日射を、第二可視光透過生地１１４を介して取り込むことができる。また、屋内（室内）にいる人は、比較的高い可視光透過率を有する第二可視光透過生地１１４を介して、窓部１からの景色を見ることができる。
【００５１】
このように、本実施形態に係る可動スクリーン装置１００は、機能の異なる複数の生地を有するスクリーン１１０を任意の位置に移動させて使用することで、目的に応じた機能（遮光性や通気性等）を発揮することができる。
【００５２】
なお、第一実施形態に係る窓部１は、排煙窓２を遠隔操作で開閉可能な構成としている。このような構成においては、利用者が直接窓部１を操作する必要がないため、第一実施形態のように、窓部１をスクリーン１１０で常時室内側から覆うような構成とすることができる。
【００５３】
以上の如く、本実施形態に係る可動スクリーン装置１００は、
スクリーン１１０と、
前記スクリーン１１０を上下に移動させることが可能であり、かつ任意の上下位置で保持することが可能な移動機構（上部巻取り部１２０及び下部巻取り部１３０）と、
を具備し、
前記スクリーン１１０は、
機能の異なる少なくとも２種類の生地を上下に並べて配置することで形成されているものである。
このように構成することにより、窓部１からの日射を好適に遮蔽することができる。すなわち、機能の異なる複数の生地の上下位置を任意に変更することで、所望の遮光性を得ることができる。
【００５４】
また、前記スクリーン１１０は、
網状に形成された網戸生地１１１と、
前記網戸生地１１１よりも通気性が低く、かつ可視光を透過可能な第一可視光透過生地１１２（可視光透過生地）と、
前記網戸生地１１１よりも通気性が低く、かつ第一可視光透過生地１１２よりも可視光透過率が低い日射遮蔽生地１１３と、
のうち少なくとも２つを上下に並べて配置することで形成されているものである。
このように構成することにより、可動スクリーン装置１００の遮光性及び通気性を任意に変更することができる。
【００５５】
また、前記スクリーン１１０は、
少なくとも前記網戸生地１１１を有し、
前記網戸生地１１１は、
前記スクリーン１１０に用いられている前記網戸生地１１１、第一可視光透過生地１１２及び前記日射遮蔽生地１１３の中で最も上方に配置されているものである。
このように構成することにより、窓部１の高い位置からの通気性を確保することができる。これによって、本実施形態のように、比較的高い位置に設けられた排煙窓２からの換気を行い易くすることができる。
【００５６】
また、前記スクリーン１１０は、
前記網戸生地１１１、前記第一可視光透過生地１１２及び前記日射遮蔽生地１１３を有し、上から前記網戸生地１１１、前記第一可視光透過生地１１２及び前記日射遮蔽生地１１３の順に並べて形成されているものである。
このように構成することにより、窓部１からの日射を好適に遮蔽することができる。すなわち、スクリーン１１０の上部で通気性を確保しながら、スクリーン１１０の上下中途部で室内へと光を適度に取り込むと共に、スクリーン１１０の下部で日射を遮蔽することができる。
【００５７】
また、前記網戸生地１１１は、
対向するように配置される窓部１の開口（排煙窓２）に対応するように形成されるものである。
このように構成することにより、開口を介した換気を行い易くすることができる。
【００５８】
また、前記第一可視光透過生地１１２は、
可視光透過率が０．１〜０．５である。
このように構成することにより、日射を遮蔽しながらも、採光性を高くすることができる。
【００５９】
また、前記日射遮蔽生地１１３は、
屋外側の面の日射反射率が０．６以上であり、
屋内側の面の長波放射率が０．３以下である。
このように構成することにより、太陽光の熱の吸収、及び屋内側への熱の放出を抑制することができる。
【００６０】
なお、本実施形態に係る上部巻取り部１２０及び下部巻取り部１３０は、本発明に係る移動機構の実施の一形態である。
また、本実施形態に係る第一可視光透過生地１１２は、本発明に係る可視光透過生地の実施の一形態である。
また、本実施形態に係る排煙窓２は、本発明に係る窓部の開口の実施の一形態である。
【００６１】
以下では、第二実施形態について説明する。
【００６２】
まず、図５を用いて、本発明の第二実施形態に係る可動スクリーン装置２００が設けられる窓部５の一例について説明する。
【００６３】
第二実施形態に係る窓部５としては、腰高窓を想定している。また窓部５としては、左右に開閉可能な引違窓を想定している。窓部５は遠隔操作不能であり、利用者が直接開閉操作するものを想定している。
【００６４】
次に、本発明の第二実施形態に係る可動スクリーン装置２００の構成について説明する。可動スクリーン装置２００は、窓部５に対応するように設けられ、当該窓部５からの日射を適宜遮蔽するものである。可動スクリーン装置２００は、主としてスクリーン２１０、下部巻取り部２３０、サイドレール２４０及びチェーン２５０を具備する。
【００６５】
スクリーン２１０は、窓部５からの日射を遮蔽するための部材である。スクリーン２１０は、上下に長い矩形状に形成される。スクリーン２１０の左右幅は、窓部５の左右幅に対応するように形成されている。具体的には、スクリーン２１０の左右幅は、窓部５の左右幅と略同一となるように形成されている。スクリーン２１０は、可撓性を有する薄いシート状に形成される。スクリーン２１０は、上下に沿って異なる機能を有する複数種類の生地をつなぎ合わせることで形成されている。具体的には、スクリーン２１０は、上から下に向かって、第一可視光透過生地２１２及び日射遮蔽生地２１３を順につなぎ合わせて形成されている。
【００６６】
第一可視光透過生地２１２は、ある程度高い可視光透過率を有する生地である。なお、第一可視光透過生地２１２は、第一実施形態に係る第一可視光透過生地１１２と同じ生地を想定しているため、当該第一可視光透過生地２１２についての詳細な説明は省略する。第一可視光透過生地２１２の上下幅は、窓部５の上下幅よりも小さくなるように形成される。
【００６７】
日射遮蔽生地２１３は、ある程度低い可視光透過率を有する生地である。なお、日射遮蔽生地２１３は、第一実施形態に係る日射遮蔽生地１１３と同じ生地を想定しているため、当該日射遮蔽生地２１３についての詳細な説明は省略する。日射遮蔽生地２１３の上下幅は、窓部５の上下幅よりも小さくなるように形成される。日射遮蔽生地２１３は、第一可視光透過生地２１２に隣接するように設けられる。第一可視光透過生地２１２と日射遮蔽生地２１３を合わせた上下幅（スクリーン２１０の上下幅）は、窓部５の上下幅と略同一となるように形成される。
【００６８】
スクリーン２１０の上端部には、トップバー２１５が設けられる。トップバー２１５は、スクリーン２１０の上端部に沿って左右に延びるように設けられる。
【００６９】
下部巻取り部２３０は、スクリーン２１０を下端部から巻き取るものである。下部巻取り部２３０は、回転可能に支持された巻取り軸、当該巻取り軸を収容するケース等を具備する。下部巻取り部２３０の巻取り軸にはスクリーン２１０の下端が固定される。
【００７０】
サイドレール２４０は、スクリーン２１０を上下に案内するものである。サイドレール２４０は、下部巻取り部２３０の左右両端部から上方に延びるように、左右一対設けられる。サイドレール２４０は、スクリーン２１０の左右両端部を上下に案内することで、スクリーン２１０のたるみの発生を抑制することができる。
【００７１】
チェーン２５０は、トップバー２１５を昇降させるための操作具である。チェーン２５０は、スクリーン２１０のトップバー２１５に連結される。チェーン２５０を回転させることで、トップバー２１５を上下にスライドさせることができ、ひいてはスクリーン２１０を上下にスライドさせることができる。
【００７２】
上述の如く構成された可動スクリーン装置２００は、室内において、窓部５に対向するように配置される。また、スクリーン２１０を上下に任意にスライドさせることで、目的に応じて可動スクリーン装置２００の使用状態を変更することができる。以下、具体的に説明する。
【００７３】
本実施形態に係る可動スクリーン装置２００は、スクリーン２１０を上下にスライドさせ、任意の位置で保持することができる。例えば、図５に示すように、スクリーン２１０のトップバー２１５をサイドレール２４０の上下中途部で保持し、第一可視光透過生地２１２及び日射遮蔽生地２１３を窓部５に対向させた状態においては、トップバー２１５の上方（スクリーン２１０がない部分）を介して、窓部５から取り込まれた風を屋内側へと流通させることができる。これによって、室内に新鮮な外気を取り込むことができる。
【００７４】
またこの状態では、窓部５の比較的高い位置からの日射を、第一可視光透過生地２１２を介して適度に取り込むことができる。また窓部５の比較的高い位置からの日射を、日射遮蔽生地２１３によって効果的に遮蔽することができる。
【００７５】
また、窓部５を開閉する場合には、スクリーン２１０を下方にスライドさせ、トップバー２１５の上方の空間を介して室内側から窓部５に触れることができる。また、窓部５の開閉や、窓部５からの換気を行う必要がない場合には、トップバー２１５をサイドレール２４０の上端部までスライドさせ、窓部５をスクリーン２１０で完全に覆うこともできる。このように利用者は、トップバー２１５の位置を任意に変更することで、第一可視光透過生地２１２及び日射遮蔽生地２１３の位置を変更し、所望の遮光性を得ることができる。
【００７６】
以上、本発明に係る実施形態について説明したが、本発明は上記構成に限定されるものではなく、特許請求の範囲に記載された発明の範囲内で種々の変更が可能である。
【００７７】
例えば、スクリーン１１０（２１０）の生地は、上述の実施形態のものに限らず、所望の機能を有する生地を用いることができる。例えば、光拡散性を有する生地をスクリーン１１０に設けることで、室内の広範囲を明るくすることができる。具体的には、第一実施形態に係るスクリーン１１０において、第一可視光透過生地１１２に代えて、比較的高い（他の日射遮蔽生地１１３及び第二可視光透過生地１１４よりも高い）光拡散性を有する生地（光拡散型生地）を用いることで、比較的高い位置から採光し、室内の広範囲を明るくすることができる。
【００７８】
また、スクリーン１１０（２１０）における生地の種類の数や並び順等も、任意に変更することができる。例えば、適用される窓部の種類等に応じて適宜変更することが可能である。
【００７９】
また、スクリーン１１０（２１０）を移動させるための機構は上述の実施形態のものに限られず、任意の機構とすることができる。例えば、第二実施形態に係る可動スクリーン装置２００として、スクリーン２１０を下方から上方に向かって引き上げて使用するものを例示したが、スクリーン２１０を上方から下方に向かって引き下げて使用するものであってもよい。また、スクリーン１１０（２１０）は、チェーン１５０（２５０）を用いて手動で移動させるものに限らず、モータ等のアクチュエータを用いて移動させる構成とすることも可能である。
【００８０】
また、スクリーン１１０（２１０）の各生地の機能は、上述の実施形態に限るものではなく、可視光透過率、日射反射率等は任意に設定することができる。
【００８１】
また、可動スクリーン装置１００（２００）が適用される窓部１（５）は、上述の実施形態に限るものではなく、種々の窓部（例えば、掃き出し窓、外開き・内開き窓等）に適用することができる。
【００８２】
また、本発明に係る可動スクリーン装置は、種々の建物（事務所ビル、商業施設、住宅等）に適用することができる。
【符号の説明】
【００８３】
１００  可動スクリーン装置
１１０  スクリーン
１１１  網戸生地
１１２  第一可視光透過生地
１１３  日射遮蔽生地
１１４  第二可視光透過生地
１２０  上部巻取り部
１３０  下部巻取り部
１４０  サイドレール
【図１】
2020159168.tif 000003
【図２】
2020159168.tif 000004
【図３】
2020159168.tif 000005
【図４】
2020159168.tif 000006
【図５】
2020159168.tif 000007